(57)【要約】【課題】 引き出し式ハードディスク組立て構造を提供する。【解決手段】主に複数のハードディスク装置を収容する引き出し式ハードディスク組立て構造で、該構造はコンピュータ機体ケースを主体とし、該機体ケースの前端下方には設置槽を備え、設置槽の底部両側にはそれぞれスライド道を備え、該設置槽の両側ケース体上にはそれぞれ固定棒を備え、また、設置槽は機体ケース体を設置し、機体ケース体は複数のストレージユニットを装置し、機体ケース体両側の板面上には弧状スライド槽を設置し、固定棒を収容する。該機体ケース体底部には連接ユニットを設置し、連接ユニット上には複数の連接インターフェースを備え、複数のストレージユニットの固定と連接に用いる。最後に該機体ケース体前端面にはハンドルを備え、該機体ケース体を開放し、これにより使用者に複数組のストレージユニットの迅速な交換及び組立て可能である。【選択図】  図２
0003127789.tif 000002
【実用新案登録請求の範囲】
【請求項１】
主に複数組のハードディスクの設置に用い、コンピュータ機体ケース、機体ケース体を含み、
前記コンピュータ機体ケース上には設置槽を備え、
前記機体ケース体は該機体ケースの設置槽中に収容し、該機体ケース体の底部には連接ユニットを備え、該連接ユニット上には複数の連接インターフェースを設置し、ハードディスクを電気的に連接することを特徴とする引き出し式ハードディスク組み立て構造。
【請求項２】
前記設置槽の両側にはそれぞれ固定棒を備え、前記機体ケース体の両側板面にはそれぞれスライド槽を備え、しかも該固定棒を対応し設置することを特徴とする請求項１記載の引き出し式ハードディスク組立て構造。
【請求項３】
前記設置槽底部の両側にはスライド道を備えることを特徴とする請求項１或いは２記載の引き出し式ハードディスク組立て構造。
【請求項４】
前記設置槽後端の両側板上には固定台を備えることを特徴とする請求項１或いは２記載の引き出し式ハードディスク組立て構造。
【請求項５】
前記機体ケース体前端にはハンドルを備えることを特徴とする請求項１或いは２記載の引き出し式ハードディスク組立て構造。
【請求項６】
前記スライド槽は弧状を呈することを特徴とする請求項１或いは２記載の引き出し式ハードディスク組立て構造。
【考案の詳細な説明】
【技術分野】
【０００１】
本考案は一種のコンピュータ本体に関する。特に一種の複数のハードディスク装置を設置可能なコンピュータ機体ケース構造に係る。
【背景技術】
【０００２】
科学技術の発展でコンピュータは現代生活にはなくてはならないものとなっている。また、コンピュータが擁する機能も周辺設備の発達に従い拡充を続け、現在ではコンピュータ本体内にはマザーボード、ＣＰＵ或いはハードディスク以外に、他の周辺配備が必要とするインターフェースカード、グラフィックカード、ＶＣＤ或いはＤＶＤレコーダー等が設置され、コンピュータシステムの応用は非常に多元化している。
このコンピュータ機能の拡充の影響で、保存用途に用いるハードディスクもまた大量に必要となっている。技術の進歩で、ハードディスクそのものの容量は増加を続けているが、それでも使用者の大量需要を満たすことができないため、コンピュータ本体内部に複数組以上のハードディスクを設置し、十分な保存容量を提供する方式が採用され始めている。
しかし、コンピュータ本体内部の空間には限界があり、また、別の電子部品も内部に装置されるため、コンピュータ本体内部の空間を有効に活用するため、公知技術は複数組のハードディスク装置を平行に排列する方式で本体内部に設置し、ハードディスク後端にインターフェースを連接しハードディスク保存容量拡充のニーズを達成する方式を開発した。
しかし、該設計はハードディスク数量を拡充することはできるが、本体内部のハードディスクを交換する時、使用者にとっては非常に不便で面倒である。先ず、本体の機体ケースを開かなければ取り外すことができず、また手動でハードディスク後端の連接インターフェースを解除する必要があり、さらに取り外し中に他の構成部品がぶつかり損壊する恐れもある。
後に開発された公知技術は上記欠点を解決するため、取り外し式ハードディスク機体ケース構造が開発された。該構造はコンピュータ本体上に設置し、機体ケース体後端に設置する連接回路板を利用しマザーボードに電気的に連接し、同時にコンピュータ本体のパネル上に開口を設置し、使用者はコンピュータ機体ケースを開かなくても自由にハードディスク装置を取り外すことができる。該公知構造はこうしてハードディスク交換の利便性を向上させたが、該ハードディスク機体ケースの構造設計は大き過ぎ、設置可能なハードディスク数を減少させてしまった。
【特許文献１】特開２００５−３２２３０６号公報
【考案の開示】
【考案が解決しようとする課題】
【０００３】
公知構造には以下の欠点があった。
すなわち、公知の取り外し式設計は本体の機体ケースを開かなければ取り外すことができず、また手動でハードディスク後端の連接インターフェースを解除する必要があり、さらに取り外し中に他の構成部品がぶつかり損壊する恐れもある。また改良式の公知構造はコンピュータ機体ケースを開かなくても自由にハードディスク装置を取り外すことができるが、該構造は非常に大きいため設置可能なハードディスク数を減少させてしまっている。
本考案は上記構造の問題点を解決し、コンピュータ本体を開かなくとも迅速にストレージユニットを出し入れや増設と交換が簡単にできる引き出し式ハードディスク組立て構造を提供するものである。
【課題を解決するための手段】
【０００４】
上記課題を解決するため、請求項１の考案は、主に複数組のハードディスクの設置に用い、コンピュータ機体ケース、機体ケース体を含み、前記コンピュータ機体ケース上には設置槽を備え、前記機体ケース体は該機体ケースの設置槽中に収容し、該機体ケース体の底部には連接ユニットを備え、該連接ユニット上には複数の連接インターフェースを設置し、ハードディスクを電気的に連接することを特徴とする引き出し式ハードディスク組み立て構造である。
請求項２の考案は、前記設置槽の両側にはそれぞれ固定棒を備え、前記機体ケース体の両側板面にはそれぞれスライド槽を備え、しかも該固定棒を対応し設置することを特徴とする請求項１記載の引き出し式ハードディスク組立て構造である。
請求項３の考案は、前記設置槽底部の両側にはスライド道を備えることを特徴とする請求項１或いは２記載の引き出し式ハードディスク組立て構造である。
請求項４の考案は、前記設置槽後端の両側板上には固定台を備えることを特徴とする請求項１或いは２記載の引き出し式ハードディスク組立て構造である。
請求項５の考案は、前記機体ケース体前端にはハンドルを備えることを特徴とする請求項１或いは２記載の引き出し式ハードディスク組立て構造である。
請求項６の考案は、前記スライド槽は弧状を呈することを特徴とする請求項１或いは２記載の引き出し式ハードディスク組立て構造である。
【０００５】
すなわち、本考案は、主に使用者が迅速に交換可能なストレージユニットの引き出し式ハードディスク組立て構造を提供し、コンピュータ本体前端に複数組のストレージユニットを設置可能な機体ケース体を設置し、使用者が直接引き出し可能な構造とし、使用者はコンピュータ本体を開かなくても迅速にストレージユニットを出し入れすることができ、すなわちそれは、引き出し式ハードディスク組立て構造を提供し、主にコンピュータ機体ケースを主体とし、該機体ケースの前端下方には設置槽を備え、該設置槽の底部両側にはそれぞれスライド道を備え、該設置槽の両側ケース体上にはそれぞれ固定棒を備え、該設置槽は機体ケース体を設置し、該機体ケース体は複数のストレージユニットを装置し、該機体ケース体両側の板面上には弧状スライド槽を設置し、前記固定棒に対応し収容し、該機体ケース体底部には連接ユニットを設置し、該連接ユニット上には複数の連接インターフェースを備え、該複数のストレージユニットの固定と連接に用い、最後に該機体ケース体前端面にはハンドルを備え、使用者に該機体ケース体の引き出し機能を提供する引き出し式ハードディスク組立て構造を提供するものである。
【考案の効果】
【０００６】
本考案の引き出し式ハードディスク組立て構造によれば、上記のように、コンピュータ本体前端に複数組のストレージユニットを設置可能な機体ケース体を設置し、使用者が直接引き出し可能な構造とすることで、使用者はコンピュータ本体を開かなくとも迅速にストレージユニットを出し入れし、増設と交換の利便性を向上させることができる。
【考案を実施するための最良の形態】
【０００７】
本考案の引き出し式ハードディスク組立て構造の好適な実施例を、図面に沿って説明する。
本考案の実施例の立体構造前面図及び後方面図である図１、２に示すように、本考案の実施例のハードディスク組立て構造はコンピュータ機体ケース1を主体とし、該機体ケース1の前端下方には設置槽11を開設する。
該設置槽11は機体ケース1のケース体が取り囲み形成し、しかも該設置槽11の両側ケース体上にはそれぞれ固定棒12を備え、該設置槽11の底部両側辺にはそれぞれスライド道13を設置する。最後に、該設置槽11後端の両側辺にはそれぞれ固定台14を設置する。
該機体ケース1上には機体ケース体2を備え、一個以上のストレージユニット3の設置に用いる。本実施例中の該ストレージユニット3はハードディスクで、該機体ケース体2は該機体ケース1の設置槽11中に収容する。該機体ケース体2の前端にはハンドル21を設置し、機体ケース体2の引き出しの便を図る。また該機体ケース体2の両側板面上にはそれぞれ弧状スライド槽22を設置し、しかも該スライド槽22はそれぞれ該設置槽11上の固定棒12を収容する。
該機体ケース体2の底部両側辺は該スライド道13上をちょうど跨ぎ設置し、該機体ケース体2は前後移動の作用を備える。最後に該機体ケース体2の底部上には連接ユニット4を備え、該連接ユニット4上には複数組の平行に排列する連接インターフェース41を設置し、該ストレージユニット3に電気的に連接し、固定する。
【０００８】
次に、本考案の実施例の操作指示図である図３〜５に示すように、使用者がコンピュータ本体内部のストレージユニット3を増加或いは交換しようとする時には、該ハンドル21を通して該機体ケース体2を引く。この時、該機体ケース体2は両側辺のスライド槽22に連動され、底部に対応し該スライド道14に沿ってスライド移動する。こうして使用者は該機体ケース体2を引き出す時、該機体ケース体2は進行方向に向かい傾斜状を形成し、側面図である図４が示すように、該機体ケース体2の上方の開口は外に向かい、使用者は該機体ケース体2底部に設置する連接ユニット4を通して、該連接インターフェース41は該ストレージユニット3を連接し、該コンピュータ機体ケース1内部の電子構成部品と電気的連接を形成する（これは、公知技術であるため詳述しない）。
使用者がストレージユニット3の増加或いは交換を完了後は、再び該ハンドル21を通して該機体ケース体2を該コンピュータ機体ケース1の設置槽11内部に向け元の位置に戻す。該スライド槽22の連動により、該機体ケース体2は該設置槽11後端の固定台14に接し、該機体ケース体2の位置を固定する。こうして、使用者はコンピュータ本体内部のストレージユニット3を随意に交換することができる。
なお、本考案の特徴を損なうものでなければ、上記実施例に限定されるものでないことは勿論である。
【図面の簡単な説明】
【０００９】
【図１】本考案の実施例の立体構造前面図である。
【図２】本考案の実施例立体構造後方面図である。
【図３】本考案の実施例の操作指示図（１）である。
【図４】本考案の実施例の操作側面図である。
【図５】本考案の実施例の操作指示図（２）である。
【符号の説明】
【００１０】
１  コンピュータ機体ケース
１１  設置槽
１２  固定棒
１３  スライド道
１４  固定台
２  機体ケース体
２１  ハンドル
２２  スライド槽
３  ストレージユニット
４  連接ユニット
４１  連接インターフェース
【図１】
0003127789.tif 000003
【図２】
0003127789.tif 000004
【図３】
0003127789.tif 000005
【図４】
0003127789.tif 000006
【図５】
0003127789.tif 000007